(57)【特許請求の範囲】
【請求項１】
それぞれテレビジョン放送を受信する第１の受信手段及び第２の受信手段と、
前記第１の受信手段及び前記第２の受信手段のうちの一方により受信された放送番組の画像データを用いて主画面を生成すると共に他方により受信された放送番組の画像データを用いて子画面を生成し、これら主画面及び子画面からなる表示画面データを生成して表示装置に出力する画像出力手段と、
前記主画面の放送番組の音声データと前記子画面の放送番組の音声データのうちの一方を選択してスピーカ部に出力する音声出力手段と、
前記放送番組のジャンル毎に設定された複数種類の音声から所望の音声の種類を選択する設定手段と、
前記子画面の放送番組の音声の状態が、前記設定手段により選択された種類の音声に対して設定された条件に一致している場合に前記子画面の放送番組の音声データを選択して出力し、一致していない場合に前記主画面の放送番組の音声データを選択して出力するように前記音声出力手段の選択動作を制御する制御手段とを備えることを特徴とする受信装置。
【請求項２】
それぞれテレビジョン放送を受信する第１の受信手段及び第２の受信手段と、
前記第１の受信手段及び前記第２の受信手段のうちの一方により受信された放送番組の画像データを用いて主画面を生成すると共に他方により受信された放送番組の画像データを用いて子画面を生成し、これら主画面及び子画面からなる表示画面データを生成して表示装置に出力する画像出力手段と、
前記主画面の放送番組の音声データと前記子画面の放送番組の音声データのうちの一方を選択してスピーカ部に出力する音声出力手段と、
前記放送番組の音声に設定された複数の周波数帯域から所望の周波数帯域を選択する設定手段と、
前記子画面の放送番組の音声の状態が、前記設定手段により選択された周波数帯域に対して設定された条件に一致している場合に前記子画面の放送番組の音声データを選択して出力し、一致していない場合に前記主画面の放送番組の音声データを選択して出力するように前記音声出力手段の選択動作を制御する制御手段とを備えることを特徴とする受信装置。
【発明の詳細な説明】
【０００１】
【発明の属する技術分野】
本発明はテレビジョン放送を受信する受信装置に関する。
【０００２】
【従来の技術】
近年、ＣＳデジタル放送やＢＳデジタル放送の開始に伴い、テレビ放送の多チャンネル化が進んでいる。この様な多チャンネル化に伴い、テレビ受信機を大画面にして一つの画面上に複数番組の画像を表示するマルチ画面表示機能が注目されている。
【０００３】
マルチ画面表示を行う際に問題となるのが音声である。即ち、マルチ画面表示されている各番組の音声を同時に出力してもこれらを聞き分けるのは困難である。そこで、マルチ画面表示している複数の番組のうちの一つの音声を選択して出力することが一般的である。
【０００４】
また、マルチ画面表示の際の表示形態として、同時に表示している複数の番組のうちの一つを主画面として大きく表示し、他の番組を子画面として表示することもある。その場合、音声について、前述のように一つの番組を選択して出力する構成では、主画面の音声のみを出力し、子画面の音声は出力されない。
【０００５】
この際、主画面の番組と子画面の番組をユーザの指示により切り替えたり、あるいは、主画面番組と子画面番組の音声のみを切り替えることも可能である。
【０００６】
この様にマルチ画面表示を行っている際の音声を選択的に切り替える技術は特開平５−１１３８６４号公報などにより開示されている。
【０００７】
また、近年の解像度変換技術の進歩により、マルチ画面表示の際、ユーザの好みによって注目している番組の表示画面サイズや各画面間のサイズの比率などを変更することが可能となる。その場合、画面サイズと音量とを独立に制御するのは不便である。そこで、特開平３−１８６０７６号公報には画面サイズと音量とを連動させて変更する技術が開示されている。
【０００８】
【発明が解決しようとする課題】
このように、ユーザ操作によりマルチ画面表示の際の主画面と子画面の入れ替えや画面サイズの変更などが可能である。
【０００９】
しかし、マルチ画面にて視聴している場合、通常、ユーザは主画面に注目しており、子画面番組（裏番組）の決定的なシーンや良いシーンに気が付かないことが多い。そのため、主画面と子画面との切り替えを実行せず、子画面番組の注目シーンを見逃してしまうという問題があった。
【００１０】
本発明は前述の如き問題を解決することを目的とする。
【００１１】
本発明の他の目的は、マルチ画面表示の際の子画面番組における注目シーンの見逃しを防止するところにある。
【００１２】
本発明の更に他の目的は、裏番組における注目シーンを検出し、これをユーザに知らせることで、裏番組における注目シーンの見逃しを防止するところにある。
【００１３】
【課題を解決するための手段】
前記課題を解決するため、本発明においては、それぞれテレビジョン放送を受信する第１の受信手段及び第２の受信手段と、前記第１の受信手段及び前記第２の受信手段のうちの一方により受信された放送番組の画像データを用いて主画面を生成すると共に他方により受信された放送番組の画像データを用いて子画面を生成し、これら主画面及び子画面からなる表示画面データを生成して表示装置に出力する画像出力手段と、前記主画面の放送番組の音声データと前記子画面の放送番組の音声データのうちの一方を選択してスピーカ部に出力する音声出力手段と、前記子画面の放送番組の音声の状態に応じて前記音声出力手段の選択動作を制御する制御手段とを備える構成とした。
【００１４】
【発明の実施の形態】
以下、本発明の実施形態について説明する。
【００１５】
図１は本発明が適用されるデジタルテレビ受信機１００の構成を示す図である。図１のテレビ受信機はそれぞれ１チャンネルのデジタルテレビ放送データを処理可能な受信部を二つ備え、２チャンネルの放送番組を同時に受信可能である。
【００１６】
まず、図１の受信機における通常の１チャンネル受信処理について説明する。
【００１７】
ユーザがリモコンＲを操作して受信チャンネルを指定すると、リモコン受信部１１６はこのリモコンＲからのコマンドを受信し、バス１１７を介して制御部１１５に送る。制御部１１５は通常の受信モードにおいてはチューナ１０２のみを動作させ、チューナ１０２はアンテナ１０１から出力されたデジタルテレビ放送信号より指定されたチャンネルを含む放送信号を受信し、ＭＰＥＧ２トランスポートストリーム（ＴＳ）形式のデータ列に変換してデマルチプレクサ１０３に出力する。
【００１８】
デマルチプレクサ１０３はこのＭＰＥＧ２ＴＳより所定のパケットＩＤを持つＰＡＴ、ＰＭＴなどのＰＳＩを抽出し、制御部１１５に出力する。制御部１１５はこれらＰＳＩに基づいて指定されたチャンネルの画像データ及び音声データのパケットＩＤを検出し、デマルチプレクサ１０３に出力する。
【００１９】
デマルチプレクサ１０３はこれらのパケットＩＤに基づいて指定された番組の画像データと音声データを検出し、画像データを画像デコーダ１０４に出力すると共に、音声データを音声デコーダ１０５に出力する。画像デコーダ１０５はデマルチプレクサ１０３からの符号化された画像データをデコードし、もとの画像データ１０４ａに変換して表示制御回路１１０に出力する。また、音声デコーダ１０５はデマルチプレクサ１０３からの符号化された音声データをデコードし、元の音声データ１０５ａに変換して音声出力回路１１２に出力する。
【００２０】
表示制御回路１１０は制御部１１５の制御に従い、通常の受信モードにおいては画像デコーダ１０４から出力された画像データ１０４ａに基づいて表示用画像データを生成し、表示部１１１に出力する。また、音声出力回路１１２は制御部１１５からの制御に従い、音声デコーダ１０５からの音声データ１０５ａをスピーカ１１３に出力する。このように、通常の受信モードにおいては、指定されたチャンネルの放送番組に係る画像が表示部１１１に表示され、音声がスピーカ３から出力される。
【００２１】
図１の受信機において、チューナ１０２、デマルチプレクサ１０３、画像でコーダ１０４及び音声デコーダ１０５により第１の受信部１００Ａを構成している。
【００２２】
次に、二画面表示モード時の動作について説明する。二画面表示モードにおいては、第１の受信部に加え、チューナ１０６、デマルチプレクサ１０７、画像でコーダ１０８及び音声でコーダ１０９からなる第２の受信部１００Ｂも使用する。第２の受信部１００Ｂの機能は第１の受信部と同様であり、また、第１の受信部１００Ａと第２の受信部１００Ｂは同時に異なるチャンネルの放送番組を受信することが可能である。
【００２３】
ユーザがリモコンＲを操作し、二画面表示モードを設定すると、リモコン受信部１１６はこの二画面表示コマンドを制御部１１５に出力する。制御部１１５はこの二画面表示の指示に従い、主画面として表示すべき番組を第１の受信部で受信すると共に子画面として表示すべき番組を第２の受信部で受信するよう、チューナ１０２、１０６及び、デマルチプレクサ１０３、１０７を制御する。
【００２４】
主画面として表示すべきチャンネルと子画面で表示すべきチャンネルは、リモコンＲを操作することで、ユーザが任意に指定可能である。
【００２５】
そして、主画面番組の画像データ１０４ａと子画面番組の画像データ１０８ａがそれぞれ画像デコーダ１０４及び１０８から表示制御回路１１０に出力され、主画面番組の音声データ１０５ａと子画面番組の音声データ１０９ａがそれぞれ音声デコーダ１０４及び１０９から音声出力回路１１２に出力される。更に、二画面表示モードでは、音声デコーダ１０５からの音声データ１０５ａと音声デコーダ１０９からの音声データ１０９ａは音声分析部１１４にも出力される。
【００２６】
表示制御回路１１０は制御部１１５からの指示に従い、主画面番組の画像データ及び子画面番組の画像データのサイズを調整して合成し、表示用データを生成する。
【００２７】
なお、本形態では、リモコンＲを操作することでこれら主画面番組と子画面番組とを入れ替えることが可能であり、制御部１１５はこの入れ替え指示があると現在表示されている主画面の番組と子画面の番組とを入れ替えて表示するよう、表示制御回路１１０を制御する。
【００２８】
一方、音声出力回路１１２は制御部１１５の指示に従い、音声デコーダ１０５からの音声データ１０５ａと音声デコーダ１０９からの音声データ１０９ａ農地の一方を選択してスピーカ１１３に出力する。
【００２９】
次に、制御部１１５による音声データの選択処理について説明する。
【００３０】
制御部１１５は二画面表示モードにおいては、音声分析部１１４による分析結果に基づき、子画面番組の音声の状態が設定された条件に一致する状態である場合に子画面番組の音声データを選択し、それ以外の場合には主画面番組の音声データを選択する。
【００３１】
即ち、例えば、音声デコーダ１０５からの音声データ１０５ａが主画面番組の音声であり、音声デコーダ１０９からの音声データ１０９ａが子画面番組の音声である場合、制御部１１５は音声分析部１１４に対して音声データ１０９ａの状態を分析するよう制御する。音声分析部１１４は後述のように周波数分解などの方法を用いて指定された音声データ、ここでは音声データ１０９ａを分析し、設定された条件に一致しているか否かを示す情報を制御部１１５に出力する。
【００３２】
制御部１１５はこの分析結果に基づき、音声データ１０９ａの状態が設定された条件に一致している場合にのみ子画面番組の音声データである音声データ１０９ａを選択して出力し、それ以外の場合には主画面番組の音声データである音声データ１０４ａを選択して出力するよう、音声出力回路１１２を制御する。
【００３３】
また、このとき切り替えるのは音声データのみであり、表示画面内における主画面番組と子画面番組は切り替えず、そのままの状態を保持する。
【００３４】
図２は音声分析部１１４の構成を示す図である。
【００３５】
図２において、音声デコーダ１０４、１０８からの音声データ１０４ａ、１０８ａがセレクタ２０１に出力され、セレクタ２０１は制御部１１５からの制御信号に従い子画面番組の音声データを選択して周波数分解部２０２に出力する。周波数分解部４０３は入力された音声データを周波数ごとに分解して周波数検出部２０３に出力する。周波数検出部２０３は周波数ごとの音声データのうち周波数設定部２０４により設定された周波数の音声データレベルを監視し、音声レベルが所定のレベルを超えるとその旨を示す信号をバス１１７を介して制御部１１５に出力する。
【００３６】
ここで、周波数設定部２０４により設定する周波数帯域はユーザが任意に設定することが可能である。本形態では、この周波数帯域を〜ＭＨｚといった数値で入力するのではなく、予め用意したいくつかの周波数帯域よりユーザが選択する構成とした。
【００３７】
リモコンＲによるメニュー機能を用いてこの周波数設定の指示があると、制御部１１５は図３の如き設定画面を生成し、表示制御回路１１０を介して表示部１１１に表示する。
【００３８】
図３の例では、３つの想定される番組ジャンル毎に各ジャンルにおいて検出可能な複数種類の音声を示すアイコンで表示し、ユーザはリモコンＲを操作することで各ジャンルについて検出すべき音声の種類を選択する。本形態ではこれら各音声の種類に応じた周波数帯域が設定されており、ここで選択された音声の種類に応じた周波数帯域が図２の周波数設定部２０４により設定される。
【００３９】
また、画面の右側には各音声の検出レベルを調整するバーが表示されており、ユーザはリモコンＲによりこのバーを移動することで各音声の検出レベルを設定することが可能となる。ここで設定された検出レベルも設定条件として図２の周波数設定部２０４に送られ、周波数検出部２０３はこの設定レベルと周波数分解部２０２からの音声レベルとを比較し、比較結果を出力する。
【００４０】
図４は二画面表示モードにおける表示画面４００の例を示す図である。
【００４１】
ユーザは主画面４０１の番組を注目して視聴している。４０２は子画面である。この状態では音声分析部１１４は子画面４０２の音声データを分析している。ここで、図３の条件設定画面において、スポーツジャンルで音声の種類として歓声を選択した場合には、子画面４０２の番組が野球中継で、観客の歓声が設定されたレベルよりも大きくなると、音声分析部１１４はその旨を示す分析結果を制御部１１５に出力する。
【００４２】
制御部１１５はこの分析結果に従い、歓声が高まっている間は子画面４０２の音声データを選択し、スピーカ１１３に出力するよう音声出力回路１１２を制御する。
【００４３】
これにより、子画面番組における歓声が大きくなると、表示部１１１における表示形態を維持したまま、スピーカ１１３から出力される音声が主画面番組の音声から子画面番組の音声に自動的に切り替えられ、ユーザは子画面番組における注目シーンを認識することができる。
【００４４】
そして、この注目シーンをより大きなサイズで確認したい場合、リモコンＲを操作して主画面番組と子画面番組を切り替えて表示することができる。また、主画面と子画面を入れ替えず、子画面番組における歓声が設定されたレベルよりも小さくなると、スピーカ１１３から出力する音声を再び子画面番組の音声から主画面番組の音声に切り替える。
【００４５】
なお、このように主画面と子画面の切り替え指示があった場合、制御部１１５は音声分析部１１４に対してその旨を知らせ、音声分析部１１４では分析すべき音声データを切り替える。
【００４６】
この様に、本形態によれば、二画面表示モードにおいて子画面番組の音声を監視しておき、子画面番組の音声の状態が設定された条件と一致した場合にスピーカから出力する音声を主画面番組から子画面番組に自動的に切り替えるので、ユーザは子画面番組における注目すべきシーンを容易に認識することが可能となる。
【００４７】
なお、本形態では子画面番組の音声の状態により自動的に出力音声を選択する場合について説明したが、表示画面の状態は変えずに、スピーカ１１３より出力する音声のみをユーザの指示により任意に選択することも可能である。また、前述のような音声の自動切り替えを行わず、常に主画面番組の音声のみを出力するよう設定することも可能である。
【００４８】
また、本形態では音声分析部１１４の出力に応じてスピーカ１１３から出力する音声を切り替えたが、音声はそのままにしておき、図５のように子画面４０２に枠４０３を表示し、この枠４０３を点滅させることで子画面番組が注目シーンであることを知らせることも可能である。
【００４９】
この場合、制御部１１５は音声分析部１１４からの分析結果に従い、注目シーンであることを検出すると、図５の４０３の如き枠を表示するよう表示制御回路１１０を制御する。表示制御回路１１０はこの指示を受け、子画面４０２に対して点滅する枠４０３を表示した表示画面データを生成し表示部１１３に出力する。
【００５０】
また、本形態では二つの受信部を持ち、これら二つの受信部により受信された番組の画像を二画面表示する場合について説明したが、三つ以上の受信部を有し、そのうちの一つの受信部により受信された番組を主画面番組として三画面以上を同時に表示する場合についても同様に本発明を適用可能である。
【００５１】
ただし、この場合、音声分析部１１４は子画面番組として複数チャンネルの音声データを分析し、いずれかの音声の状態が設定条件に一致した場合、この子画面番組の音声を出力する。
【００５２】
また、本形態では二画面表示モードにおいては音声出力回路１１２により主画面番組と子画面番組のうちの何れか一方の音声を選択して出力していたが、表示状態によって各番組の音声の出力形態を変更することも可能である。
【００５３】
例えば、図６のようにスピーカ１１３をＲスピーカ１１３Ａ，Ｌスピーカ１１３Ｂ，及びＣスピーカ１１３Ｃより構成し、これら各スピーカに対して出力する音声を二画面表示の際の画面サイズによって切り替えるよう構成する。
【００５４】
図６の受信機では、二画面表示モードとして図４の如き親子画面の表示形態に加え、図７のように同じサイズで二つの番組の画像を表示するモードを設けた。
【００５５】
そして、図４の如き親子画面にて表示する場合、主画面４０１の番組の音声データのうちＲチャンネルをＲスピーカ１１３Ａに出力しＬチャンネルをＬスピーカに出力すると共に、子画面４０２の番組の音声データをモノラル音声としてセンタースピーカ１１３Ｃに出力するよう、音声出力回路１１２を制御する。更に、主画面番組の音量を子画面番組の音量より大きくするよう制御する。
【００５６】
このような状態において、制御部１１５は図１の実施形態と同様、子画面４０２に表示されている番組の音声の状態が設定された条件に一致した場合、Ｒスピーカ１１３ＡとＬスピーカ１１３Ｂから出力する主画面番組の音量を小さくすると共にＣスピーカ１１３Ｃから出力する子画面番組の音量を大きくするよう音声出力回路１１２を制御する。
【００５７】
一方、図７の如く二画面を同じサイズで表示するようリモコンＲより指示があった場合、制御部１１５は左側画面７０１の番組の音声をモノラル音声としてＬスピーカ１１３Ｂに出力し、右側画面７０２の番組の音声をモノラル音声としてＲスピーカ１１３Ａに出力するよう音声出力回路１１２を制御する。
【００５８】
そして、この場合には、一方が主画面で他方が子画面という位置付けではなくなるため、制御部１１５は音声分析部１１４に対する音声データの入力を停止する。
【００５９】
【発明の効果】
以上説明した様に、本発明によれば、子画面の放送番組における注目シーンを容易に認識可能とし、見逃してしまうことを防止することができる。
【図面の簡単な説明】
【図１】本発明が適用されるテレビ受信機の構成を示す図である。
【図２】音声分析部の構成を示す図である。
【図３】音声分析部による検出条件の設定画面を示す図である。
【図４】二画面表示モードにおける表示画面を示す図である。
【図５】二画面表示モードにおける表示画面を示す図である。
【図６】本発明が適用されるテレビ受信機の他の構成を示す図である。
【図７】二画面表示モードにおける表示画面を示す図である。
【図１】
0003799288.tif 000002
【図２】
0003799288.tif 000003
【図３】
0003799288.tif 000004
【図４】
0003799288.tif 000005
【図５】
0003799288.tif 000006
【図６】
0003799288.tif 000007
【図７】
0003799288.tif 000008